(57)【要約】【課題】従来の筐体に収めた送風機は、設置スペースが広く必要であり、施工性も悪いという課題があった。【解決手段】モーター７をモーター取付具２１に取り付け、モーター取付具２１は、回動する軸支部２３を備えており、軸支部２３をケーシング側板Ｒ３ａおよびケーシング側板Ｌ３ｂに固定することにより、設置架台１１を小型化することが可能となる。かつ、軸支部２３が回動することにより、回転軸Ａ１と回転軸Ｂ６の軸間距離が変わり、ベルトの張り調整が可能となる。また、筐体の天面パネル３５が開閉することにより、容易に駆動部のメンテナンスが可能となる。【選択図】図１
2019065723.tif 000002
【特許請求の範囲】
【請求項１】
回転軸Ａを中心として回転する羽根車と、
渦巻き形状を有し前記羽根車を内蔵するケーシングと、
回転軸Ｂを中心として回転するモーターと、
前記回転軸Ａと前記回転軸Ｂとを接続して前記モーターの動力を前記羽根車に伝達するベルトと、
前記モーターを固定するモーター取付具と、を備え、
前期モーター取付具は、
前記モーターを固定する台座部と、
前記台座部を前記ケーシングの外壁に回動可能に接続する軸支部と、を備えた送風機。
【請求項２】
前記軸支部は、
前記回転軸Ａと前記回転軸Ｂとの距離を変更可能に回動する請求項１記載の送風機。
【請求項３】
前記モーター取付具は、
前記軸支部の回動を固定する台座固定部を備えた請求項１または２に記載の送風機。
【請求項４】
前記台座固定部は、
前記台座部の一端に設けられた前記軸支部に対して他端近傍に設けられた請求項１から３のいずれかに記載の送風機。
【請求項５】
前記モーター取付具は、
前記ケーシングの設置状態において前記ケーシングの上部に固定された請求項１から４のいずれかに記載の送風機。
【請求項６】
前記ケーシングを囲む筐体を備え、
前記ケーシングは、
当該ケーシング内部に空気を吸い込むケーシング吸込口と、
前記ケーシング吸込口から吸い込んだ空気を吹き出すケーシング吹出口と、を備え、
前記筐体は、
当該筐体内部に空気を吸い込む筐体吸込口と、
当該筐体内部に吸い込んだ空気を吹き出す筐体吹出口と、を備えた請求項１から５のいずれかに記載の送風機。
【請求項７】
前記台座部は、
前記モーターを配置する固定面と、
前記固定面の裏面である背面と、を備え、
前記背面は、
前記ケーシングの側面視にして前記筐体吸込口の方向からの気流を前記ケーシング吸込口方向に偏向する請求項６に記載の送風機。
【請求項８】
前記筐体は、
当該筐体の設置状態における天面に天面開口と、
前期天面開口を開閉する天面パネルを備えた請求項６または７に記載の送風機。
【発明の詳細な説明】
【技術分野】
【０００１】
本発明は、換気送風機器、空気調和機などに使用される送風機に関するものである。
【背景技術】
【０００２】
図６に示すように、従来のボックス型ベルト駆動遠心送風機は、ケーシング取付具１０４の上に、ケーシング１０３と、モーター１０１が配置されたモーター取付具１０２が固定され、モーター取付具１０２を水平方向へスライドさせることによりケーシング１０３内の送風機の軸１０５とモーター１０１の回転軸１０６との間のベルト１０７の張り調整をしていた。
【先行技術文献】
【特許文献】
【０００３】
【特許文献１】実公昭６１−２８３８００号公報
【発明の概要】
【発明が解決しようとする課題】
【０００４】
このような従来のボックス型ベルト駆動遠心送風機では、ケーシング取付具１０４の上にケーシング１０３と、モーター１０１を取り付けたモーター取付具１０２とを横並びに配置していたため、広い設置面積が必要であった。
【０００５】
そこで本発明は、上記従来の課題を解決するものであり、設置面積を小さくし施工性、メンテナンス性を向上させた送風機を提供することを目的とする。
【課題を解決するための手段】
【０００６】
本発明に係る送風機は、上記の目的を達成するために、回転軸Ａを中心として回転する羽根車と、渦巻き形状を有し前記羽根車を内蔵するケーシングと、回転軸Ｂを中心として回転するモーターと、前記回転軸Ａと前記回転軸Ｂとを接続して前記モーターの動力を前記羽根車に伝達するベルトと、前記モーターを固定するモーター取付具と、を備え、前記モーター取付具は、前記モーターを固定する台座部と、前記台座部を前記ケーシングの外壁に回動可能に接続する軸支部と、を備えた送風機であり、これにより所期の目的を達成するものである。
【発明の効果】
【０００７】
本発明によれば、設置面積が小さくなり、施工性、メンテナンス性を向上させた送風機を提供することができる。
【図面の簡単な説明】
【０００８】
【図１】本発明に係る送風機の側面視における概略断面図。
【図２】送風機の背面視における概略断面図。
【図３】天面パネルを外した状態での送風機の斜視図。
【図４】モーター取付具の斜視図。
【図５】回転軸Ａと回転軸Ｂの距離を示す模式図。
【図６】従来のボックス型ベルト駆動遠心送風機を示す断面図。
【発明を実施するための形態】
【０００９】
以下、添付図面を参照して本発明の実施の形態につき説明し、本発明の理解に供する。なお、以下の実施の形態は、本発明を具体化した一例であって、本発明の技術的範囲を限定するものではない。また、全図面を通して、同一の部位については同一の符号を付して二度目以降の説明を省略している。
【００１０】
（実施の形態）
まず、図１、図２、図３を用いて本発明に係る送風機の概略構成について説明する。なお図１は本発明に係る送風機Ｘの側面視における概略断面図である。また図２は、送風機Ｘの背面視における概略断面図である。また図３は、筐体の天面パネルを外した状態での送風機の斜視図である。
【００１１】
送風機Ｘは、図１に示すように、筐体３１と、羽根車２と、ケーシング３と、モーター７と、ベルト１０と、モーター取付具２１、を備えている。
【００１２】
筐体３１は、図３に示すように、略方形状の六面体であり、天面開口３４と、天面パネル３５と、筐体吸込口３２と、フード３６と、筐体吹出口３３とを備えている。
【００１３】
天面開口３４は、筐体３１の設置状態における天面に、開口として設けられる。
【００１４】
天面パネル３５は、筐体３１からの着脱が可能な平板状パネルであり、着脱により天面開口３４を開閉することができる。天面パネル３５は、筐体３１にネジ等を用いて固定されている。天面パネル３５を開けることにより、筐体３１の内部に格納されたモーター７、ベルト１０、モーター取付具２１、後述のプーリーＡ８、プーリーＢ９等へのアクセスが可能となる。
【００１５】
筐体吸込口３２は、筐体３１の設置状態における前面に矩形の開口として備えられる。
【００１６】
フード３６は、前面から外方向に向けて当該前面から垂直に、筐体吸込口３２の上方と両側方の３面を覆うように配置される。フード３６は、上面４１と、側面４２と、側面４３とを備える。
【００１７】
上面４１は、前面上であって筐体吸込口３２の上辺近傍を起点として、前面から垂直方向に、筐体３１から最も突出して構成される。
【００１８】
側面４２及び側面４３は、互いに対向して配置され、前面上であって筐体吸込口３２の側辺近傍を起点として、前面から垂直方向に突出して構成される。側面４２及び側面４３は、上面４１の突出方向先端を起点として、下方に向かうにつれて漸次、前面との距離が短くなる略直角三角形の板形状を有する。
【００１９】
筐体吹出口３３は、筐体３１の設置状態における底面に、開口として備えられている。筐体吹出口３３は、ケーシング３の吹出口であるケーシング吹出口５と一致する形状の開口である。筐体吹出口３３を介して筐体３１の外部に吹き出された空気は、例えば家やビルの空調設備などに供給される。
【００２０】
羽根車２は、図１、図２に示すように、略円筒形状で円周上に羽根を有して回転軸Ａ１を中心として回転することで、回転軸から円周方向に向けて風を吹き出す遠心ファンであり、具体的にはシロッコファンやターボファンが適用できる。羽根車２は、回転軸Ａ１にプーリーＡ８を備えている。
【００２１】
ケーシング３は、渦巻状のスクロール３ｄと、スクロール３ｄを挟み込んでケーシング３における一面を形成するケーシング側板Ｒ３ａと、ケーシング３における他面を形成するケーシング側板Ｌ３ｂとを有している。ケーシング３は、羽根車２を内蔵する。ケーシング３は、ケーシング吸込口４とケーシング吹出口５とを備えている。ケーシング３は、ケーシング３内部に舌部３ｃを備えている。ケーシング３にはサポート３ｅが溶接されている。筐体３１の底面には、設置架台１１が配置されている。ケーシング３は、設置架台１１の設置状態において、設置架台１１の上部にボルト、ナットで固定されている。
【００２２】
ケーシング吸込口４は、ケーシング３内部に空気を吸い込む開口として、ケーシング３において羽根車２の円筒形状における平面、つまりケーシング側板Ｒ３ａとケーシング側板Ｌ３ｂに対向した位置に設けられる。本実施の形態では、図２に示すように、ケーシング吸込口４は、ケーシング３の両側面に設けられている。具体的には、ケーシング吸込口４は、円形形状を有し、ケーシング側板Ｌ３ｂの中心近傍に１か所、または、ケーシング側板Ｒ３ａとケーシング側板Ｌ３ｂの中心近傍の２か所に備えている。
【００２３】
ケーシング吹出口５は、ケーシング吸込口４を介してケーシング３内部に吸い込んだ空気を吹き出す開口であり、筐体３１の底面に設けられた筐体吹出口３３に対向する位置に設けられている。ケーシング吹出口５は、筐体吹出口３３と接続されることにより、筐体吸込口３２を介して筐体３１の内部に吸い込まれた空気を筐体３１の外部に吹き出す。
【００２４】
モーター７は、回転軸Ｂ６を軸中心として回転軸Ｂ６が回転する。モーター７は、回転軸Ｂ６にプーリーＢ９を備える。モーター７は、モーター取付具２１を介してケーシング３に固定される。回転軸Ａ１と回転軸Ｂ６は、常に軸方向が平行を保つように、モーター取付具２１によって互いの距離を変更可能である。
【００２５】
ベルト１０は、回転軸Ａ１に挿入されたプーリーＡ８と、回転軸Ｂ６に挿入されたプーリーＢ９を介して、モーター７の動力を羽根車２に伝達する。
【００２６】
モーター取付具２１は、鋼板でできており、図２に示すように、モーター７をケーシング３に固定する。具体的には、図４に示すように、モーター取付具２１は、台座部２２と、軸支部２３と、台座固定部２５とを備えている。
【００２７】
以下、図４を参照しながら、モーター取付具２１の詳細構造について説明する。なお図４は、モーター取付具２１の斜視図である。
【００２８】
台座部２２は、モーター７を配置する固定面２９と、固定面２９の裏側である背面３０を備え、矩形板形状を有する。背面３０は、スクロール３ｄと対向している。台座部２２は、一辺がケーシング側板Ｒ３ａとケーシング側板Ｌ３ｂとの距離よりも長く、すなわち少なくともケーシング側板Ｒ３ａとケーシング側板Ｌ３ｂの一方において、図２の突出部４４がケーシング側板Ｒ３ａまたはケーシング側板Ｌ３ｂからはみ出している。つまり突出部４４の背面３０は、ケーシング３の側面視（図１）にして筐体吸込口３２の方向からの気流４５をケーシング吸込口４の方向の気流４６に偏向する角度で配置されている。言い換えると、モーター取付具２１は、ケーシング３の上部の下流側に、背面３０が筐体吸込口３２及びケーシング吸込口４に対向させて配置されている。台座部２２は、例えば一辺の両端、つまり一端に、軸支部２３を備え、軸支部２３を備えた一辺に対向する他辺の両端、つまり他端近傍に台座固定部２５を備えている。台座部２２は、台座固定部２５が設けられた他端近傍に、一辺方向に長い長孔２８が設けられている。
【００２９】
軸支部２３は、ケーシング３の外壁の両側面、すなわちケーシング側板Ｒ３ａおよびケーシング側板Ｌ３ｂを挟んで回動可能に固定される。つまり、軸支部２３は、ケーシング側板Ｒ３ａおよびケーシング側板Ｌ３ｂに溶接されているナットと、このナットに対応する固定ボルト２４で固定されている。２つの固定ボルト２４を緩めることにより、軸支部２３、つまりモーター取付具２１は、軸支部２３を構成する２つの固定ボルト２４を結ぶ線を回転軸として、この回転軸を中心に回動可能となる。
【００３０】
台座固定部２５は、ケーシング３の両側面、すなわちケーシング側板Ｒ３ａおよびケーシング側板Ｌ３ｂを挟んでケーシング３に固定される。台座固定部２５は、Ｌ型形状のＬ金具２６の一端がケーシング側板Ｒ３ａ（またはケーシング板Ｌ３ｂ）に固定され、Ｌ金具２６の他端が丸棒２７の下端に溶接、またはボルト及びナットで固定されている。丸棒２７の上端は、長孔２８を貫通し、ボルトとして機能する。つまり丸棒２７に通された２つのナットが、長孔２８を貫通した丸棒２７を台座部２２の上下方向から挟み込むことで、台座部２２をスクロール３ｄの外周から一定の距離だけ離れた位置に固定する。言い換えると、台座固定部２５は、軸支部２３の回動を固定する。
【００３１】
以上が、送風機Ｘの概略構成である。
【００３２】
続いて、図５を参照しながら送風機Ｘにおけるモーター７の位置の変更について詳しく述べる。通常、ベルト駆動遠心送風機では、設置時にプーリー間、つまり羽根車２の回転軸Ａ１とモーター７の回転軸Ｂ６間のベルトの長さを調節する必要があり、さらに時間の経過により発生するベルトのたわみを補正する必要がある。そして、このようなベルトの調整は、回転軸Ａ１と回転軸Ｂ６の距離を変更することで行なわれる。
【００３３】
本実施の形態では、モーター取付具２１を、ケーシング３の設置状態においてケーシング３の上部、さらに詳しくは、ケーシング３の外周端部よりもさらに外側（回転軸Ａ１よりも遠い位置）に固定している。
【００３４】
この状態で、台座固定部２５の丸棒２７上端の２つのナットを緩める。これにより、台座固定部２５による台座部２２の固定が解除される。
【００３５】
次に、台座部２２の固定が解除された状態で、軸支部２３のナットと固定ボルト２４とによる締め付けを緩める。これにより、軸支部２３は、軸支部２３をケーシング３に固定している回転軸Ｃ４０、厳密には軸支部２３を固定する２つの固定ボルト２４を結ぶ線を回転軸Ｃ４０として、ケーシング３に対して回動可能となる。
【００３６】
軸支部２３がケーシング３に対して回動可能となると、モーター７の回転軸Ｂ６は、回転軸Ｃ４０を中心とする円の円周上を移動可能となる。よって、回転軸Ｃ４０を中心として回転させることにより、回転軸Ｂ６と回転軸Ａ１との軸間距離Ｙが変更可能となる。軸間距離Ｙを変更する場合には、長孔２８に丸棒２７が貫通しているため、モーター取付具２１の回動に合わせて丸棒２７が長孔２８内をスライドする構造となっている。
【００３７】
これに基づいて、軸間距離Ｙを例えば軸間距離Ｙ’に変更でき、ベルト１０の張り調整が可能となる。ベルト１０の張りを調整した後は、ナットと固定ボルト２４で軸支部２３の回動を抑制し、台座固定部２５の２つのナットを締めることにより、台座部２２をケーシング３に固定する。軸支部２３と台座固定部２５は、台座部２２の両端に配置しているため、モーター取付具２１はケーシング３に強固に固定される。
【００３８】
以上のように、モーター取付具２１をケーシング３の上方に固定し、軸支部２３を回動させることで、軸間距離Ｙを変更可能にしている。このため、モーター取付具を筐体の底面に配置して水平方向にスライドさせて軸間距離を変更する構成に比べて、筐体３１の設置面積を小さくすることができ、施工性を向上することができる。
【００３９】
また、ケーシング３の上部にモーター取付具２１を配置し、天面開口３４を設けているため、筐体３１の周辺に他の装置等が配置されている場合であっても、上方から、しかも容易に軸間距離Ｙを変更でき、つまりメンテナンス性を向上させることができる。
【００４０】
また、台座部２２の一端に設けられた軸支部２３に対して台座固定部２５を他端近傍に設けているため、モーター７を強固にケーシング３に固定でき、例えば振動によるモーター取付具２１等の緩みや脱離を防止できる。
【００４１】
また、背面３０は、筐体吸込口３２の方向から吸い込んだ空気の気流を、ケーシング吸込口４の方向に偏向し筐体内部の気流を整流することが出来る。つまり、通常では圧力損失に成り得るモーター取付具２１を利用して、吹出風量を増加させることができる。
【産業上の利用可能性】
【００４２】
送風機などの空気搬送目的以外に、機体吹出口からの送風を用いて設備機器の冷却ができる設備機器の送風の用途にも適用できる。
【符号の説明】
【００４３】
Ｘ    送風機
１    回転軸Ａ
２    羽根車
３    ケーシング
３ａ    ケーシング側板Ｒ
３ｂ    ケーシング側板Ｌ
３ｃ    舌部
３ｄ    スクロール
３ｅ    サポート
４    ケーシング吸込口
５    ケーシング吹出口
６    回転軸Ｂ
７    モーター
８    プーリーＡ
９    プーリーＢ
１０    ベルト
１１    設置架台
２１    モーター取付具
２２    台座部
２３    軸支部
２４    固定ボルト
２５    台座固定部
２６    Ｌ金具
２７    丸棒
２８    長孔
２９    固定面
３０    背面
３１    筐体
３２    筐体吸込口
３３    筐体吹出口
３４    天面開口
３５    天面パネル
３６    フード
４１    上面
４２，４３    側面
４４    突出部
４５，４６    気流
１０１    モーター
１０２    モーター取付具
１０３    ケーシング
１０４    ケーシング取付具
【図１】
2019065723.tif 000003
【図２】
2019065723.tif 000004
【図３】
2019065723.tif 000005
【図４】
2019065723.tif 000006
【図５】
2019065723.tif 000007
【図６】
2019065723.tif 000008